(57)【要約】【課題】端子金具の変形やアライメントの狂いを防止する。【解決手段】基板用コネクタ４０は、フード部１２を備えたハウジング１１と、Ｌ字状に曲げられた複数の端子金具２０とからなる。ハウジング１１の背面には、長方形の端子保護壁４１Ａ，４１Ｂが複数延出されており、この端子保護壁４１Ａ，４１Ｂによって各端子金具２０の水平部２３と垂直部２５とが左右両側方から覆われることで、端子金具に異物が干渉することが回避される。また、ハウジング１１の背面には、各端子金具２０の水平部２３を個別に位置決め状態で収容する位置決め溝４５が設けられ、これにより端子金具２０のアライメント精度を高めることができる。【選択図】  図５
2004172005.tif 000002
【特許請求の範囲】
【請求項１】
前方に開口した筒状のフード部を有したハウジングと、
前記フード部の奥端面に貫通状態で取り付けられた複数の端子金具とを備え、
前記端子金具は、前記ハウジングの背面から後方へ延出した水平部と、その延出端から略直角に曲げられた垂直部とを備え、その垂直部の先端を回路基板のスルーホールに差し込んで回路基板上の回路に電気的に接続させるようにした基板用コネクタであって、
前記ハウジングの背面には、前記端子金具の水平部及び垂直部を両側方から覆う端子保護壁が一体に形成されていることを特徴とする基板用コネクタ。
【請求項２】
前記ハウジングの背面には、前後方向に沿った溝状をなし、前記各端子金具の水平部を個別に収容して両側方向に位置決めする位置決め溝が形成されていることを特徴とする請求項１に記載の基板用コネクタ。
【請求項３】
前記ハウジングの背面には、前記各端子金具の垂直部を個別に両側方から挟んで位置決めするアライメント壁が一体に形成されていることを特徴とする請求項１又は請求項２に記載の基板用コネクタ。
【発明の詳細な説明】
【０００１】
【発明の属する技術分野】
本発明は、基板用コネクタに関し、特に回路基板に接続されるＬ字形の端子金具を備えたものに関する。
【０００２】
【従来の技術】
従来の基板用コネクタとして、例えば特許文献１に記載されたものが知られている。このものは、回路基板上に設置されるハウジングと、ハウジングに装着される複数の端子金具とから構成されている。ハウジングは、前面に相手コネクタが嵌合されるフード部を備えており、そのフード部の奥端面に各端子金具が貫通した状態で組み付けられている。端子金具は、ハウジングの背面に延出した部分がＬ字状に屈曲されており、その先端部が基板接続部とされ、これが回路基板のスルーホールに挿入されて半田付けによって回路基板上の回路に電気的に接続されるようになっている。
【０００３】
【特許文献１】
実開昭６０−１８３３８０号公報
【０００４】
【発明が解決しようとする課題】
かかる従来の基板用コネクタにおいては、例えばハウジングが背面に延出した端子金具を下側にして置かれたような場合などに、端子金具が他部材との干渉によって変形し易いという事情があった。また、端子金具は細長い形状であることからその先端の基板接続部のアライメントが狂いやすく、アライメントが狂うと基板接続部のスルーホールへの挿入に支障を来すおそれがあった。
本発明は、上記事情に鑑みてなされたもので、その目的は、端子金具の変形やアライメントの狂いを防止することの可能な基板用コネクタを提供するところにある。
【０００５】
【課題を解決するための手段】
上記の課題を解決するための請求項１の発明に係る基板用コネクタは、前方に開口した筒状のフード部を有したハウジングと、前記フード部の奥端面に貫通状態で取り付けられた複数の端子金具とを備え、前記端子金具は、前記ハウジングの背面から後方へ延出した水平部と、その延出端から略直角に曲げられた垂直部とを備え、その垂直部の先端を回路基板のスルーホールに差し込んで回路基板上の回路に電気的に接続させるようにした基板用コネクタであって、前記ハウジングの背面には、前記端子金具の水平部及び垂直部を両側方から覆う端子保護壁が一体に形成されているところに特徴を有する。
【０００６】
請求項２の発明によれば、請求項１に記載のものにおいて、前記ハウジングの背面には、前後方向に沿った溝状をなし、前記各端子金具の水平部を個別に収容して両側方向に位置決めする位置決め溝が形成されている。
【０００７】
請求項３の発明によれば、請求項１又は請求項２に記載のものにおいて、前記ハウジングの背面には、前記各端子金具の垂直部を個別に両側方から挟んで位置決めするアライメント壁が一体に形成されているところに特徴を有する。
【０００８】
【発明の作用および効果】
請求項１の発明によれば、ハウジングの背面に設けた端子保護壁によって端子金具に他部材が干渉することが回避されるため、端子金具の変形を防止することができる。
【０００９】
請求項２の発明によれば、各端子金具の水平部が個別に位置決め溝内に位置決め状態で収容されることで、端子金具のアライメント精度を高めることができる。
【００１０】
請求項３の発明によれば、先端に近い垂直部が一対のアライメント壁によって左右両側方から挟まれて位置決めされるため、アライメント精度をより一層高めることができる。また、端子金具を位置決めするためにアライメントプレート等の別部材をハウジングに組み付けるようにしたものに比べて、部品点数を削減できる。
【００１１】
【発明の実施の形態】
＜第１実施形態＞
次に本発明の第１実施形態について図１から図４を参照して説明する。
本実施形態の基板用コネクタ１０は、回路基板３０に固定されるハウジング１１と、このハウジング１１に装着される複数の端子金具２０とから構成されている。ハウジング１１は、合成樹脂製であり、その前面には横長角筒状の第１フード部１２と、この第１フード部１２より小さな角筒状の第２フード部１３とが並んで形成され、各フード部１２，１３内にそれぞれ前方から相手コネクタ（図示せず）を嵌合可能とされている。各フード部１２，１３の奥端面（ハウジング１１の後面壁１１Ａ）には、端子金具２０が圧入される複数の端子取付孔１４が前後に貫通して形成されており、各端子取付孔１４は、横方向に所定ピッチで並んで第１フード部１２に上下３段、第２フード部１３に上下２段設けられている。
【００１２】
端子金具２０は、細長い金属板片をＬ字形に折り曲げてなり、その水平部分を端子取付孔１４に後方から貫通させた状態で圧入係止されている。端子金具２０のうち端子取付孔１４からフード部１２，１３内に突出した一端部は、タブ部２１とされ、フード部１２，１３に嵌合される相手側コネクタの備える雌端子金具に電気的に接続されるようになっている。また、端子金具２０のうちハウジング１１の背面側に延出された部分には、後方へ水平に延びた水平部２３と、その延出端を屈曲部２４にて下方に直角曲げしてなる垂直部２５とが設けられている。水平部２３は、上段に装着された端子金具２０ほど長くなり、垂直部２５が後方に張り出した位置にある。垂直部２５の下端部は基板接続部２６とされ、回路基板３０のスルーホール３１に挿通され、半田付けによって回路基板３０上の回路（図示せず）に電気的に接続されるようになっている。
【００１３】
ハウジング１１の背面には、垂直な板状の端子保護壁１５Ａ，１５Ｂが計５枚後方へ延設されている。各端子保護壁１５Ａ，１５Ｂは、各端子金具２０を間に挟むようにして、所定間隔で互いに離間して設けられている。各端子保護壁１５Ａ，１５Ｂは、長方形状をなし、その上端は間に挟まれた端子金具２０の水平部２３より上方に張り出し、その後端は垂直部２５よりも後方に張り出している。言い換えれば、各端子金具２０の水平部２３と垂直部２５の大部分とが端子保護壁１５Ａ，１５Ｂによって左右両側方から覆われ、垂直部２５の先端部のみが端子保護壁１５Ａ，１５Ｂよりも下方に突出している。一対の端子保護壁１５Ａは、他の端子保護壁１５Ｂよりも厚くされ、その下端には、回路基板３０の取付孔（図示せず）に嵌合される取付突起１６と、回路基板３０に貫通されたネジ（図示せず）がねじ込まれるネジ孔１７とが形成されている。また、端子保護壁１５Ａ，１５Ｂの下部には、アライメントプレート３２を当接させて取り付けられるようになっている。端子保護壁１５Ａの下端には、アライメントプレート３２を係止する係止爪１８が形成され、端子保護壁１５Ｂのうちの一つの下端には、アライメントプレート３２の嵌合孔（図示せず）に嵌合される位置決めピン１９が突設されている。アライメントプレート３２には、各垂直部２５の先端が位置決め状態で挿通される位置決め孔３３が貫通して形成されている。
【００１４】
基板用コネクタ１０の組み立てに際しては、まず各端子金具２０がＬ字状に折り曲げられる前の状態で端子取付孔１４に後方から圧入され、続いてその延出端を屈曲部２４にて下方へ直角曲げすることで垂直部２５が形成される。その後、各垂直部２５の先端をアライメントプレート３２の位置決め孔３３に挿通しつつ端子保護壁１５Ａ，１５Ｂの下部にアライメントプレート３２が装着され、基板用コネクタ１０の組み立てが完了する。
【００１５】
本実施形態によれば、ハウジング１１の背面に設けた端子保護壁１５Ａ，１５Ｂによって端子金具２０に対し他部材が干渉することが回避されるため、端子金具２０の変形を防止することができる。
【００１６】
＜第２実施形態＞
次に本発明の第２実施形態について図５から図８を参照して説明する。
なお、本実施形態の基板用コネクタ４０は、大まかな構成は第１実施形態のものと同様であり、以下では、第１実施形態と相違した部分について主に説明し、第１実施形態のものと同様の機能を有する部位については同一符号を付すことで重複した説明は省略する。
【００１７】
ハウジング１１の背面には、垂直な板状の端子保護壁４１Ａ，４１Ｂ，４１Ｃが計５枚後方へ延設されている。各端子保護壁４１Ａ，４１Ｂ，４１Ｃは、各端子金具２０を間に挟むようにして、所定間隔で互いに離間して設けられている。なお、端子保護壁４１Ａ，４１Ｂは、離間して設けられた一対の垂直板を複数の水平板で連結した形態となっている。各端子保護壁４１Ａ，４１Ｂ，４１Ｃは、側方から視て長方形状をなし、その上端は間に挟まれた端子金具２０の水平部２３より上方に張り出し、その後端は垂直部２５よりも後方に張り出している。言い換えれば、各端子金具２０の水平部２３と垂直部２５の大部分とが端子保護壁４１Ａ，４１Ｂ，４１Ｃによって左右両側方から覆われ、垂直部２５の先端部のみが端子保護壁４１Ａ，４１Ｂ，４１Ｃの下端よりも下方に突出している。一対の端子保護壁４１Ａは、他の端子保護壁４１Ｂ，４１Ｃよりも厚くされ、その下端部には、回路基板３０に宛われる取付部４２が突設され、その下面に回路基板３０に貫通されたネジ（図示せず）がねじ込まれるネジ孔４２Ａが形成されている。
【００１８】
隣り合う端子保護壁４１Ａ，４１Ｂ，４１Ｃ間には、各端子金具２０の水平部２３の下面に沿うような水平板状の支持壁４３が各段ごとに形成されている。各支持壁４３の上面には、隣り合う各水平部２３間を仕切るように仕切壁４４が立てられており、隣り合う一対の仕切壁４４と支持壁４３とで構成される前後方向に沿った位置決め溝４５内に端子金具２０の水平部２３が左右両側方について位置決めされた状態で収容されている。なお、下段の仕切壁４４の上端は、その上の段の支持壁４３の下面に接続している。また、各位置決め溝４５の長さ寸法は、対応する端子金具２０の水平部２３の長さ寸法とほぼ等しく、支持壁４３の後端部が屈曲部２４の内面に沿うように丸みを帯びた形態となっている。
【００１９】
基板用コネクタ４０の組み立てに際しては、まず各端子金具２０がＬ字状に折り曲げられる前の状態で各端子取付孔１４に前方から圧入され、続いて端子金具２０がＬ字状に屈曲される。このとき、水平部２３側が位置決め溝４５に保持されているため、屈曲部２４から先端側を下方へ押圧することで、端子金具２０が支持壁４３の後端部にて折り曲げられる。
【００２０】
本実施形態によれば、第１実施形態と同様の効果に加え、各端子金具２０の水平部２３が個別に位置決め溝４５内に位置決め状態で収容されることで、水平部２３の下方や左右両側方への変形を規制でき、さらに端子金具２０のアライメント精度を高めることができる。また、アライメントプレートを省略できるため、部品点数を削減できる。
【００２１】
＜第３実施形態＞
次に本発明の第３実施形態について図９から図１１を参照して説明する。
なお、本実施形態の基板用コネクタ５０は、大まかな構成は上記第１，第２実施形態のものと同様であり、以下では、上記実施形態と相違した部分について主に説明し、上記実施形態のものと同様の機能を有する部位については同一符号を付すことで重複した説明は省略する。
【００２２】
ハウジング１１の背面には、各端子金具２０を個別に間に挟むようにして複数の垂直な板状のアライメント壁５１（本発明の「端子保護壁」を兼ねる）が後方へ延設されている。各アライメント壁５１は、側方から視て長方形状をなし、その上端は間に挟まれた端子金具２０の水平部２３より上方に張り出し、その後端は垂直部２５よりも後方に張り出している。言い換えれば、各端子金具２０の水平部２３と垂直部２５の大部分とがアライメント壁５１によって左右両側方から覆われ、垂直部２５の先端部のみがアライメント壁５１の下端よりも下方に突出している。また、隣り合うアライメント壁５１間には、各端子金具２０の水平部２３の下面に沿うような水平板状の支持壁５２が各段ごとに形成されている。隣り合う一対のアライメント壁５１と支持壁５２とで構成される前後方向に沿った位置決め溝５３内に端子金具２０の水平部２３が収容されている。また、各位置決め溝５３の長さ寸法は、対応する端子金具２０の水平部２３の長さ寸法とほぼ等しく、支持壁５２の後端部が屈曲部２４の内面に沿うように丸みを帯びた形態となっている。隣り合うアライメント壁５１間の間隔は、端子金具２０の幅寸法より僅かに大きい程度とされており、間に挟まれた端子金具２０の水平部２３及び垂直部２５が左右両側方向について位置決めされた状態となっている。
【００２３】
本実施形態によれば、第１実施形態、第２実施形態と同様の効果に加え、水平部２３よりも先端に近い垂直部２５が一対のアライメント壁５１によって左右両側方から挟まれて位置決めされるため、アライメント精度をより一層高めることができる。また、端子金具を位置決めするためにアライメントプレート等の別部材をハウジングに組み付けるようにしたものに比べて、部品点数を削減できる。
【００２４】
本発明は上記記述及び図面によって説明した実施形態に限定されるものではなく、例えば次のような実施態様も本発明の技術的範囲に含まれ、さらに、下記以外にも要旨を逸脱しない範囲内で種々変更して実施することができる。
（１）上記実施形態では、端子金具を半田付けにより基板回路に接続するものを示したが、本発明によれば、半田付けを行わずに、圧入によって回路基板に接続されるプレスフィットタイプの端子金具を用いても良い。
（２）上記第１、第２実施形態では、計５枚の端子保護壁を設けたが、端子保護壁は少なくともハウジングの両側部に一対設ければよい。
【図面の簡単な説明】
【図１】第１実施形態における基板用コネクタの縦断面図
【図２】基板用コネクタの正面図
【図３】基板用コネクタの平面図
【図４】基板用コネクタの背面図
【図５】第２実施形態における基板用コネクタの縦断面図
【図６】基板用コネクタの平面図
【図７】基板用コネクタの背面図
【図８】基板用コネクタの部分拡大背面図
【図９】第３実施形態における基板用コネクタの縦断面図
【図１０】基板用コネクタの平面図
【図１１】基板用コネクタの部分拡大背面図
【符号の説明】
１０，４０，５０…基板用コネクタ
１１…ハウジング
１１Ａ…ハウジングの後面壁（フード部の奥端面）
１２，１３…フード部
１５Ａ，１５Ｂ，４１Ａ〜４１Ｃ…端子保護壁
２０…端子金具
２３…水平部
２５…垂直部
３０…回路基板
３１…スルーホール
４５，５３…位置決め溝
５１…アライメント壁（端子保護壁）
【図１】
2004172005.tif 000003
【図２】
2004172005.tif 000004
【図３】
2004172005.tif 000005
【図４】
2004172005.tif 000006
【図５】
2004172005.tif 000007
【図６】
2004172005.tif 000008
【図７】
2004172005.tif 000009
【図８】
2004172005.tif 000010
【図９】
2004172005.tif 000011
【図１０】
2004172005.tif 000012
【図１１】
2004172005.tif 000013